【手続補正書】
【提出日】平成26年9月26日(2014.9.26)
【手続補正１】
【補正対象書類名】明細書
【補正対象項目名】００１９
【補正方法】変更
【補正の内容】
【００１９】
これにより、３Ｄメガネ２を傾けない状態での３Ｄ画の色ムラを低減し、かつ３Ｄメガネ２を傾けた状態での３Ｄ画の色ムラおよび輝度落ちを低減することができるので、３Ｄ画質を大幅に向上させることが可能になる。
【手続補正２】
【補正対象書類名】明細書
【補正対象項目名】０１１８
【補正方法】変更
【補正の内容】
【０１１８】
また、合成光内の緑色左回り円偏光ｇ４１は、投射レンズ２０を透過することで、緑色楕円偏光ｇ４２ｓ（Ｓ偏光に近い楕円偏光）に変換される。さらに、合成光内の青色左回り円偏光ｂ４１は、投射レンズ２０を透過することで、青色楕円偏光ｂ４２ｓ（Ｓ偏光に近い楕円偏光）に変換される。
【手続補正３】
【補正対象書類名】明細書
【補正対象項目名】０１６８
【補正方法】変更
【補正の内容】
【０１６８】
また、合成光内の緑色左回り円偏光ｇ１０１は、投射レンズ２０を透過することで、緑色楕円偏光ｇ１０２ｓ（Ｓ偏光に近い楕円偏光）に変換される。さらに、合成光内の青色左回り円偏光ｂ１０１は、投射レンズ２０を透過することで、青色楕円偏光ｂ１０２ｓ（Ｓ偏光に近い楕円偏光）に変換される。
【手続補正４】
【補正対象書類名】明細書
【補正対象項目名】０１８２
【補正方法】変更
【補正の内容】
【０１８２】
また、合成光内の緑色左回り円偏光ｇ１２１は、投射レンズ２０を透過することで、緑色楕円偏光ｇ１２２ｓ（Ｓ偏光に近い楕円偏光）に変換される。さらに、合成光内の青色左回り円偏光ｂ１２１は、投射レンズ２０を透過することで、青色楕円偏光ｂ１２２ｓ（Ｓ偏光に近い楕円偏光）に変換される。
【手続補正５】
【補正対象書類名】特許請求の範囲
【補正対象項目名】全文
【補正方法】変更
【補正の内容】
【特許請求の範囲】
【請求項１】
３原色光を合成する色合成部と、
前記色合成部からの出射光を投射する投射レンズと、
前記投射レンズの投射側に配置され、前記投射レンズにより投射された各色光の偏光状態を無偏光状態に変換する偏光変換部と、
を有する投影装置。
【請求項２】
前記偏光変換部は、偏光変換素子として、所定波長に対して位相をπシフトする波長選択性１／２波長板、光学軸を１つ持つ有機材料である一軸性有機材料、光学軸を１つ持つ結晶である一軸性結晶のいずれかを有する請求項１記載の投影装置。
【請求項３】
前記色合成部は、色合成プリズムと、前記色合成プリズムの緑色光の入射側に配置された１／２波長板と、前記投射レンズの入射側と前記色合成プリズムの出射側との間に配置された第１の１／４波長板とを備え、
前記偏光変換部は、前記偏光変換素子と、前記偏光変換素子の入射側と前記投射レンズの投射側との間に配置された第２の１／４波長板とを備え、
前記１／２波長板は、緑色光のＳ偏光をＰ偏光に変換し、
前記色合成プリズムは、赤色光のＳ偏光である赤色Ｓ偏光と、緑色光のＰ偏光である緑色Ｐ偏光と、青色光のＳ偏光である青色Ｓ偏光とを合成し、
前記第１の１／４波長板は、前記赤色Ｓ偏光を左回り円偏光である赤色左回り円偏光に変換し、前記緑色Ｐ偏光を右回り円偏光である緑色右回り円偏光に変換し、前記青色Ｓ偏光を左回り円偏光である青色左回り円偏光に変換し、
前記偏光変換素子および前記第２の１／４波長板は、前記赤色左回り円偏光、前記緑色右回り円偏光および前記青色左回り円偏光が、前記投射レンズを透過することで楕円偏光にそれぞれ変換された赤色楕円偏光、緑色楕円偏光および青色楕円偏光の各偏光状態を無偏光状態に変換する請求項１乃至２のいずれか１項に記載の投影装置。
【請求項４】
前記色合成部は、色合成プリズムと、前記色合成プリズムの緑色光の入射側に配置された１／２波長板とを備え、
前記１／２波長板は、緑色光のＳ偏光をＰ偏光に変換し、
前記色合成プリズムは、赤色光のＳ偏光である赤色Ｓ偏光と、緑色光のＰ偏光である緑色Ｐ偏光と、青色光のＳ偏光である青色Ｓ偏光とを合成し、
前記偏光変換素子は、前記赤色Ｓ偏光、前記緑色Ｐ偏光および前記青色Ｓ偏光が、前記投射レンズを透過することで楕円偏光にそれぞれ変換された赤色楕円偏光、緑色楕円偏光および青色楕円偏光の各偏光状態を無偏光状態に変換する請求項１乃至２のいずれか１項に記載の投影装置。
【請求項５】
前記色合成部は、色合成プリズムと、前記色合成プリズムの緑色光の入射側に配置された１／２波長板と、前記投射レンズの入射側と前記色合成プリズムの出射側との間に配置された１／４波長板とを備え、
前記１／２波長板は、緑色光のＳ偏光をＰ偏光に変換し、
前記色合成プリズムは、赤色光のＳ偏光である赤色Ｓ偏光と、緑色光のＰ偏光である緑色Ｐ偏光と、青色光のＳ偏光である青色Ｓ偏光とを合成し、
前記１／４波長板は、前記赤色Ｓ偏光を左回り円偏光である赤色左回り円偏光に変換し、前記緑色Ｐ偏光を右回り円偏光である緑色右回り円偏光に変換し、前記青色Ｓ偏光を左回り円偏光である青色左回り円偏光に変換し、
前記偏光変換素子は、前記赤色左回り円偏光、前記緑色右回り円偏光および前記青色左回り円偏光が、前記投射レンズを透過することで楕円偏光にそれぞれ変換された赤色楕円偏光、緑色楕円偏光および青色楕円偏光の各偏光状態を無偏光状態に変換する請求項１乃至２のいずれか１項に記載の投影装置。
【請求項６】
前記色合成部は、色合成プリズムを備え、
前記色合成プリズムは、赤色光のＳ偏光である赤色Ｓ偏光と、緑色光のＳ偏光である緑色Ｓ偏光と、青色光のＳ偏光である青色Ｓ偏光とを合成し、
前記偏光変換素子は、前記赤色Ｓ偏光、前記緑色Ｓ偏光および前記青色Ｓ偏光が、前記投射レンズを透過することで楕円偏光にそれぞれ変換された赤色楕円偏光、緑色楕円偏光および青色楕円偏光の各偏光状態を無偏光状態に変換する請求項１乃至２のいずれか１項に記載の投影装置。
【請求項７】
前記色合成部は、色合成プリズムと、前記投射レンズの入射側と前記色合成プリズムの出射側との間に配置された１／４波長板とを備え、
前記色合成プリズムは、赤色光のＳ偏光である赤色Ｓ偏光と、緑色光のＳ偏光である緑色Ｓ偏光と、青色光のＳ偏光である青色Ｓ偏光とを合成し、
前記１／４波長板は、前記赤色Ｓ偏光を左回り円偏光である赤色左回り円偏光に変換し、前記緑色Ｓ偏光を左回り円偏光である緑色左回り円偏光に変換し、前記青色Ｓ偏光を左回り円偏光である青色左回り円偏光に変換し、
前記偏光変換素子は、前記赤色左回り円偏光、前記緑色左回り円偏光および前記青色左回り円偏光が、前記投射レンズを透過することで楕円偏光にそれぞれ変換された赤色楕円偏光、緑色楕円偏光および青色楕円偏光の各偏光状態を無偏光状態に変換する請求項１乃至２のいずれか１項に記載の投影装置。
【請求項８】
前記色合成部は、色合成プリズムと、前記色合成プリズムの緑色光の入射側に配置された１／２波長板とを備え、
前記偏光変換部は、１／４波長板と、前記１／４波長板の入射側と前記投射レンズの投射側との間に配置された前記偏光変換素子とを備え、
前記１／２波長板は、緑色光のＳ偏光をＰ偏光に変換し、
前記色合成プリズムは、赤色光のＳ偏光である赤色Ｓ偏光と、緑色光のＰ偏光である緑色Ｐ偏光と、青色光のＳ偏光である青色Ｓ偏光とを合成し、
前記偏光変換素子および前記１／４波長板は、前記赤色Ｓ偏光、前記緑色Ｐ偏光および前記青色Ｓ偏光が、前記投射レンズを透過することで楕円偏光にそれぞれ変換された赤色楕円偏光、緑色楕円偏光および青色楕円偏光の各偏光状態を無偏光状態に変換する請求項１乃至２のいずれか１項に記載の投影装置。
【請求項９】
前記色合成部は、色合成プリズムと、前記色合成プリズムの緑色光の入射側に配置された１／２波長板と、前記投射レンズの入射側と前記色合成プリズムの出射側との間に配置された第１の１／４波長板とを備え、
前記偏光変換部は、第２の１／４波長板と、前記第２の１／４波長板の入射側と前記投射レンズの投射側との間に配置された前記偏光変換素子とを備え、
前記１／２波長板は、緑色光のＳ偏光をＰ偏光に変換し、
前記色合成プリズムは、赤色光のＳ偏光である赤色Ｓ偏光と、緑色光のＰ偏光である緑色Ｐ偏光と、青色光のＳ偏光である青色Ｓ偏光とを合成し、
前記第１の１／４波長板は、前記赤色Ｓ偏光を左回り円偏光である赤色左回り円偏光に変換し、前記緑色Ｐ偏光を右回り円偏光である緑色右回り円偏光に変換し、前記青色Ｓ偏光を左回り円偏光である青色左回り円偏光に変換し、
前記偏光変換素子および前記第２の１／４波長板は、前記赤色左回り円偏光、前記緑色右回り円偏光および前記青色左回り円偏光が、前記投射レンズを透過することで楕円偏光にそれぞれ変換された赤色楕円偏光、緑色楕円偏光および青色楕円偏光の各偏光状態を無偏光状態に変換する請求項１乃至２のいずれか１項に記載の投影装置。
【請求項１０】
前記色合成部は、色合成プリズムと、前記色合成プリズムの緑色光の入射側に配置された１／２波長板とを備え、
前記偏光変換部は、前記偏光変換素子と、前記偏光変換素子の入射側と前記投射レンズの投射側との間に配置された１／４波長板とを備え、
前記１／２波長板は、緑色光のＳ偏光をＰ偏光に変換し、
前記色合成プリズムは、赤色光のＳ偏光である赤色Ｓ偏光と、緑色光のＰ偏光である緑色Ｐ偏光と、青色光のＳ偏光である青色Ｓ偏光とを合成し、
前記偏光変換素子および前記１／４波長板は、前記赤色Ｓ偏光、前記緑色Ｐ偏光および前記青色Ｓ偏光が、前記投射レンズを透過することで楕円偏光にそれぞれ変換された赤色楕円偏光、緑色楕円偏光および青色楕円偏光の各偏光状態を無偏光状態に変換する請求項１乃至２のいずれか１項に記載の投影装置。
【請求項１１】
前記偏光変換部は、１／４波長板と、前記１／４波長板の入射側と前記投射レンズの投射側との間に配置された前記偏光変換素子とを備え、
前記色合成部は、色合成プリズムを備え、
前記色合成プリズムは、赤色光のＳ偏光である赤色Ｓ偏光と、緑色光のＳ偏光である緑色Ｓ偏光と、青色光のＳ偏光である青色Ｓ偏光とを合成し、
前記偏光変換素子および前記１／４波長板は、前記赤色Ｓ偏光、前記緑色Ｐ偏光および前記青色Ｓ偏光が、前記投射レンズを透過することで楕円偏光にそれぞれ変換された赤色楕円偏光、緑色楕円偏光および青色楕円偏光の各偏光状態を無偏光状態に変換する請求項１乃至２のいずれか１項に記載の投影装置。
【請求項１２】
前記色合成部は、色合成プリズムと、前記投射レンズの入射側と前記色合成プリズムの出射側との間に配置された第１の１／４波長板とを備え、
前記偏光変換部は、第２の１／４波長板と、前記第２の１／４波長板の入射側と前記投射レンズの投射側との間に配置された前記偏光変換素子とを備え、
前記色合成プリズムは、赤色光のＳ偏光である赤色Ｓ偏光と、緑色光のＳ偏光である緑色Ｓ偏光と、青色光のＳ偏光である青色Ｓ偏光とを合成し、
前記第１の１／４波長板は、前記赤色Ｓ偏光を左回り円偏光である赤色左回り円偏光に変換し、前記緑色Ｓ偏光を左回り円偏光である緑色左回り円偏光に変換し、前記青色Ｓ偏光を左回り円偏光である青色左回り円偏光に変換し、
前記偏光変換素子および前記第２の１／４波長板は、前記赤色左回り円偏光、前記緑色左回り円偏光および前記青色左回り円偏光が、前記投射レンズを透過することで楕円偏光にそれぞれ変換された赤色楕円偏光、緑色楕円偏光および青色楕円偏光の各偏光状態を無偏光状態に変換する請求項１乃至２のいずれか１項に記載の投影装置。
【請求項１３】
前記偏光変換部は、前記偏光変換素子と、前記偏光変換素子の入射側と前記投射レンズの投射側との間に配置された１／４波長板とを備え、
前記色合成部は、色合成プリズムを備え、
前記色合成プリズムは、赤色光のＳ偏光である赤色Ｓ偏光と、緑色光のＳ偏光である緑色Ｓ偏光と、青色光のＳ偏光である青色Ｓ偏光とを合成し、
前記偏光変換素子および前記１／４波長板は、前記赤色Ｓ偏光、前記緑色Ｐ偏光および前記青色Ｓ偏光が、前記投射レンズを透過することで楕円偏光にそれぞれ変換された赤色楕円偏光、緑色楕円偏光および青色楕円偏光の各偏光状態を無偏光状態に変換する請求項１乃至２のいずれか１項に記載の投影装置。
【請求項１４】
前記色合成部は、色合成プリズムと、前記投射レンズの入射側と前記色合成プリズムの出射側との間に配置された第１の１／４波長板とを備え、
前記偏光変換部は、前記偏光変換素子と、前記偏光変換素子の入射側と前記投射レンズの投射側との間に配置された第２の１／４波長板とを備え、
前記色合成プリズムは、赤色光のＳ偏光である赤色Ｓ偏光と、緑色光のＳ偏光である緑色Ｓ偏光と、青色光のＳ偏光である青色Ｓ偏光とを合成し、
前記第１の１／４波長板は、前記赤色Ｓ偏光を左回り円偏光である赤色左回り円偏光に変換し、前記緑色Ｓ偏光を左回り円偏光である緑色左回り円偏光に変換し、前記青色Ｓ偏光を左回り円偏光である青色左回り円偏光に変換し、
前記偏光変換素子および前記第２の１／４波長板は、前記赤色左回り円偏光、前記緑色左回り円偏光および前記青色左回り円偏光が、前記投射レンズを透過することで楕円偏光にそれぞれ変換された赤色楕円偏光、緑色楕円偏光および青色楕円偏光の各偏光状態を無偏光状態に変換する請求項１乃至２のいずれか１項に記載の投影装置。
【請求項１５】
前記偏光変換部は、前記投射レンズのフォーカス環に外部から取り付け可能な外枠部品に設けられ、前記投射レンズの投射中心位置を含んで前記外枠部品の片側に寄った位置に前記偏光変換部が設けられている請求項１乃至１４のいずれか１項に記載の投影装置。